(57)【特許請求の範囲】
【請求項１】
空調された気流を吹き出すための吹出口と、
前記吹出口の前方に配置され且つ水平又は斜め上方に延びる第１面と、前記第１面の上方に配置され且つ前方に向く面を有する第２面とを有するパネルとを備え、
前記パネルの背面側には、前記第１面の裏面の少なくとも一部に接触する断熱部材が配置され、
前記パネルは、
前記吹出口から吹き出された吹出気流を前記第１面から剥離する第１剥離部と、
前記第２面に沿って下方に流れる室内空気を前記第２面から剥離する第２剥離部と、
前記第１剥離部と前記第２剥離部とを繋ぐ平面状の接続部とを備え、
前記断熱部材は、前記第１面の裏面に接触する第１部分から離れた第２部分において前記第２面の裏面に接触すると共に、
前記パネルと前記断熱部材との間に、前記第１面及び前記接続部の裏面側に配置され、室内機の長手方向に延在する断熱空間が形成されることを特徴とする室内機。
【請求項２】
前記断熱部材は、その内部に形成された中空部分を有することを特徴とする請求項１に記載の室内機。 
【発明の詳細な説明】
【技術分野】
【０００１】
本発明は空調された気流を吹き出すための吹出口を備えた室内機に関するものである。
【背景技術】
【０００２】
吸込口から吸い込んだ空気を空気調和して吹出口から吹き出す室内機であって、吹出口から吹き出される空気の上側を覆い、且つ、前方に行くほど上方になるように形成された案内面と、案内面の前端から後方に延びる面とを有する室内機が知られている（例えば、特許文献１参照）。かかる室内機では、室内機のパネルが案内面（コアンダ面）を有し、吹出口から吹き出された空気がコアンダ効果により案内面に沿って上方に向かう。
【先行技術文献】
【特許文献】
【０００３】
【特許文献１】特開２００３−２３２５５９号公報
【発明の概要】
【発明が解決しようとする課題】
【０００４】
上述のような室内機において、冷房運転時には、案内面（コアンダ面）の温度が表面を流れる冷気の温度により低下し、その温度が案内面の裏面に伝わることで、パネルにおける案内面の裏面は低温となる。一方、パネルの裏側には暖気が存在するので、パネルにおける案内面の裏面において結露が発生する問題が生じる。
【０００５】
そこで、本発明は、上記のような課題を解決するためになされたものであり、パネルにおけるコアンダ面の裏面において結露が発生するのを抑制できる室内機を提供することを目的とする。
【課題を解決するための手段】
【０００６】
第１の発明に係る室内機は、空調された気流を吹き出すための吹出口と、前記吹出口の前方に配置され且つ水平又は斜め上方に延びる第１面と、前記第１面の上方に配置され且つ前方に向く面を有する第２面とを有するパネルとを備え、前記パネルの背面側には、前記第１面の裏面の少なくとも一部に接触する断熱部材が配置され、前記パネルは、前記吹出口から吹き出された吹出気流を前記第１面から剥離する第１剥離部と、前記第２面に沿って下方に流れる室内空気を前記第２面から剥離する第２剥離部と、前記第１剥離部と前記第２剥離部とを繋ぐ平面状の接続部とを備え、前記断熱部材は、前記第１面の裏面に接触する第１部分から離れた第２部分において前記第２面の裏面に接触すると共に、前記パネルと前記断熱部材との間に、前記第１面及び前記接続部の裏面側に配置され、室内機の長手方向に延在する断熱空間が形成される。
【０００７】
この室内機では、パネルの背面側に、第１面（コアンダ面）の裏面の少なくとも一部に接触する断熱部材が配置されることから、吹出気流によって冷やされた第１面の裏面とパネルの裏側に存在する暖気との接触を避けることで、結露の発生を抑制できる。
【０００８】
【０００９】
この室内機では、パネルと断熱部材との間に空間が形成されることから、吹出気流によって冷やされた第１面の裏面とパネルの裏側に存在する暖気との接触を避けることで、結露の発生を効果的に抑制できる。
この室内機では、吹出気流と室内空気とは、第１面及び第２面からそれぞれ剥離した後に混ざり合う。よって、冷房運転時に吹出口から吹き出される冷気と室内空気の暖気とが混ざり合うことで、室内機の構造物に結露が発生するのを抑制できる。
【００１０】
第２の発明に係る室内機は、第１の発明にかかる室内機において、前記断熱部材は、その内部に形成された中空部分を有することを特徴とする。
【００１１】
この室内機では、断熱部材が、その内部に形成された中空部分を有することから、吹出気流によって冷やされた第１面の裏面とパネルの裏側に存在する暖気との接触を避けることで、結露の発生をより効果的に抑制できる。
【００１２】
【００１３】
【発明の効果】
【００１４】
以上の説明に述べたように、本発明によれば、以下の効果が得られる。
【００１５】
第１の発明では、パネルの背面側に、第１面の裏面の少なくとも一部に接触する断熱部材が配置されることから、吹出気流によって冷やされた第１面の裏面とパネルの裏側に存在する暖気との接触を避けることで、結露の発生を抑制できる。
【００１６】
第１の発明では、パネルと断熱部材との間に空間が形成されることから、吹出気流によって冷やされた第１面の裏面とパネルの裏側に存在する暖気との接触を避けることで、結露の発生を効果的に抑制できる。
【００１７】
第１の発明では、吹出気流と室内空気とは、第１面及び第２面からそれぞれ剥離した後に混ざり合う。よって、冷房運転時に吹出口から吹き出される冷気と室内空気の暖気とが混ざり合うことで、室内機の構造物に結露が発生するのを抑制できる。
第２の発明では、断熱部材が、その内部に形成された中空部分を有することから、吹出気流によって冷やされた第１面の裏面とパネルの裏側に存在する暖気との接触を避けることで、結露の発生をより効果的に抑制できる。
【図面の簡単な説明】
【００１８】
【図１】本発明の実施形態にかかる室内機の斜視図であり、（ａ）は斜め上方から見た図、（ｂ）は斜め下方から見た図である。
【図２】図１の室内機の横断面図である。
【図３】本発明の変形例にかかる室内機の横断面図である。
【発明を実施するための形態】
【００１９】
以下に、本発明の実施形態について、図１〜図３を参照しつつ説明する。
【００２０】
図１（ａ）、（ｂ）に示すように、本実施形態の室内機１は、全体として一方向に細長い形状を有しており、その長手方向が水平となるように室内の壁面に据え付けられるものである。室内機１は、図示しない室外機と共に空気調和機を構成しており、室内の冷暖房を行う。なお、以下の説明において、室内機１が取り付けられる壁から突出する方向を「前方」と称し、その反対の方向を「後方」と称する。また、室内機１の長手方向を単に「長手方向」と称する。
【００２１】
図２に示すように、室内機１は、ケーシング２、熱交換器３、室内ファン４、フィルタ５、及び２枚の水平羽根６ａ、６ｂを主に備えている。
【００２２】
ケーシング２は、略直方体のグリル２１と、グリル２１の前面を覆う前面パネル２２とを有する。ケーシング２の上面には、吸込口２１ａが形成されている。図１（ａ）に示すように、吸込口２１ａはグリル２１と前面パネル２２とに渡って形成されている。グリル２１の下面には吹出口２１ｂが形成されている。図１（ｂ）に示すように、吹出口２１ｂは、長手方向に長い矩形状の開口である。
【００２３】
熱交換器３、室内ファン４、及びフィルタ５は、グリル２１の内部に配置されている。室内ファン４は、長手方向に沿って延びており、吸込口２１ａを介してケーシング２内に空気を吸い込み、吹出口２１ｂからケーシング２内の空気が吹き出されるように構成されている。熱交換器３は、側面視において両端が下方に向かって屈曲した逆Ｖ字状に形成され、室内ファン４の上方と前方とを取り囲むように配置されている。熱交換器３では、通過する空気との間で熱交換が行われる。また、熱交換器３の上方及び前方にはフィルタ５が配置されている。フィルタ５は、熱交換器３に向かって流入してくる空気に含まれる塵埃を除去する。
【００２４】
２枚の水平羽根６ａ、６ｂは、吹出口２１ｂに配置されている。水平羽根６ａ、６ｂは、吹出口２１ｂから吹き出される空気流の上下方向の風向きを変更すると共に、吹出口２１ｂの開閉を行うために設けられている。水平羽根６ａ、６ｂは、それぞれ長手方向に長い矩形状の板部材である。水平羽根６ａは吹出口２１ｂ内の前側部分に配置され、水平羽根６ｂは吹出口２１ｂ内の後側部分に配置されている。
【００２５】
前面パネル２２は、上述のようにグリル２１の前面を覆うものであり、その上端部が吸込口２１ａの一部を構成しており、下端部が吹出口２１ｂの前端近傍に位置している。前面パネル２２は、前方を向く面であり、吸込口２１ａの前端近傍から前面パネル２２の下端部近傍まで下方に延びる正面２２ａを有している。前面パネル２２の下端部には、吹出口２１ｂの前方に配置されており、斜め上方に延びる第１面２３と、第１面２３の上方に配置されており、後方に行くほど上方になるように形成される第２面２４と、第１面２３と第２面２４とを繋ぐ平面状の接続部２５とが設けられている。第１面２３及び第２面２４は、下に凸の湾曲面である。
【００２６】
図２において矢印で示すように、吹出口２１ｂから吹き出された吹出気流は第１面２３に沿って流れ、第１面２３の前端部において第１面２３から剥離する。すなわち、第１面２３の前端部は吹出口２１ｂからの吹出気流が前面パネル２２から剥離する剥離部２３ａとして機能する。また、前面パネル２２の正面２２ａ及び第２面２４に沿って下方に流れる室内空気は、第２面２４の下端部において第２面２４から剥離する。すなわち、第２面２４の下端部は室内空気が前面パネル２２から剥離する剥離部２４ａとして機能する。そして、接続部２５は、吹出気流の剥離部２３ａと室内空気の剥離部２４ａとを繋いでいる。
【００２７】
剥離部２３ａにおいて前面パネル２２から剥離した吹出気流と、剥離部２４ａにおいて前面パネル２２から剥離した室内空気とは、前面パネル２２の前方の前面パネルから離れた位置で混ざり合う。接続部２５は、図２において破線で示す第１面２３の延長面と第２面２４の延長面との内側に配置されている。
【００２８】
前面パネル２２の背面側には、第１面２３の裏面に接触する断熱部材２６が配置される。断熱部材２６は、第１面２３の裏面に接触する第１部分２６ａと、第１部分２６ａから離れた第２部分２６ｂにおいて第２面２４の裏面に接触する。断熱部材２６は、室内機１の長手方向の略全域に配置され、第１面２３の裏面および第２面２４の裏面に対し、長手方向の略全域において接触する。したがって、前面パネル２２と断熱部材２６との間に、室内機１の長手方向に延在する断熱空間２７が形成される。
【００２９】
次に、室内機１の動作について説明する。
室内ファン４を駆動することにより、吸込口２１ａからケーシング２内に空気が吸い込まれる。ケーシング２内に吸い込まれた空気は、フィルタ５で塵埃の除去が行われた後、熱交換器３を通過して熱交換される。そして、室内ファン４を通過した後、水平羽根６ａ、６ｂに沿って流れて、空調された気流が吹出口２１ｂから吹き出される。吹出口２１ｂから吹き出された吹出気流は、コアンダ効果により斜め上方に延びる第１面２３に沿って流れた後、第１面２３の端部の剥離部２３ａで第１面２３（前面パネル２２）から剥離する。前面パネル２２から剥離した吹出気流は、剥離部２４ａにおいて第２面２４（前面パネル２２）から剥離した室内空気と前面パネル２２から離隔した位置で混ざり合った後、天井方向に向かう。
【００３０】
以上のように、本実施形態の室内機１では、前面パネル２２の背面側に、第１面２３の裏面に接触する断熱部材２６が配置されることから、吹出気流によって冷やされた第１面２３の裏面と前面パネル２２の裏側に存在する暖気との接触を避けることで、結露の発生を抑制できる。
【００３１】
また、本実施形態の室内機１では、前面パネル２２と断熱部材２６との間に断熱空間２７が形成されることから、吹出気流によって冷やされた第１面２３の裏面と前面パネル２２の裏側に存在する暖気との接触を避けることで、結露の発生を効果的に抑制できる。
【００３２】
また、本実施形態の室内機１では、前面パネル２２が、吹出口２１ｂから吹き出された吹出気流を第１面２３から剥離する剥離部２３ａと、第２面２４に沿って流れる室内空気を第２面２４から剥離する剥離部２４ａと、剥離部２３ａと剥離部２４ａとを繋ぐ接続部２５とが設けられていることから、吹出気流と室内空気とは、第１面２３及び第２面２４からそれぞれ剥離した後に混ざり合う。よって、冷房運転時に吹出口２１ｂから吹き出される冷気と室内空気の暖気とが混ざり合うことで、室内機１の構造物に結露が発生するのを抑制できる。
【００３３】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００３４】
例えば、上述の実施形態では、断熱部材２７が、室内機１の長手方向の略全域に配置され、第１平面２３の裏面に対し長手方向の略全域に接触する場合を説明したが、断熱部材２７が第１平面２３の裏面の少なくとも一部に接触する場合に本発明の効果が得られる。
【００３５】
また、本実施形態の室内機１では、前面パネル２２の裏面と断熱部材２６との間に断熱空間２７が形成される場合を説明したが、前面パネル２２の裏面と断熱部材２６との間に断熱空間２７が形成されなくてよい。
【００３６】
また、本実施形態の室内機１では、断熱部材２６が、その内部に形成された中空部分を有しない場合を説明したが、図３に示すように、断熱部材１２６が、その内部に、断熱空間１２７としての中空部分を有していてよい。この場合、断熱部材１２６が、その内部に形成された断熱空間１２７を有することから、吹出気流によって冷やされた第１面２３の裏面と前面パネル２２の裏側に存在する暖気との接触を避けることで、結露の発生をより効果的に抑制できる。
【００３７】
また、上述の実施形態では、第１面２３は、斜め上方に延び、且つ、下方に凸の湾曲面である場合について説明したが、これには限定されない。すなわち例えば、第１面２３は水平に延びる面であってもよい。また、第１面２３は平面であってもよい。
【００３８】
また、上述の実施形態では、第１面２３、第２面２４、剥離部２３ａ、２４ａ、及び接続部２５が前面パネル２２に設けられている場合について説明したが、これには限定されない。これらは、前面パネル２２以外の部材に設けられていてもよい。また、第１面２３、第２面２４、及び接続部２５は、同一の部材に設けられておらず、互いに別の部材に設けられていてもよい。前面パネル２２が、第１面２３、第１面２３に接続された第２面２４を有し、接続部２５を有しないものであってよいし、剥離部２３ａ、２４ａを有しなくてよい。
【産業上の利用可能性】
【００３９】
本発明を利用すれば、パネルにおけるコアンダ面の裏面において結露が発生するのを抑制できる。
【符号の説明】
【００４０】
１  室内機
２１ｂ  吹出口
２３  第１面
２３ａ  第１剥離部
２４  第２面
２４ａ  第２剥離部
２５  接続部
２６、１２６  断熱部材
２７、１２７  断熱空間
【図１】
0006314949.tif 000002
【図２】
0006314949.tif 000003
【図３】
0006314949.tif 000004